(57)【要約】      （修正有）【課題】隣接する単位ボックスの側板同士の接合部が目立たず、見苦しくなく見栄えが悪くなるのを防止することができる収納箱を提供する。【解決手段】前面に開口する収納空間１を有する単位ボックス２を複数並設して構成される収納箱３において、単位ボックス２の側板４の前端面４１に上下に亘って凹凸５０を設け、または前面に複数条の凹凸を設けた化粧エッジ材５を側板の前端面に貼り付ける。【選択図】        図１
2004229759.tif 000002
【特許請求の範囲】
【請求項１】
前面に開口する収納空間を有する単位ボックスを複数並設して構成される収納箱において、単位ボックスの側板の前端面に上下に亘って凹凸を設けて成ることを特徴とする収納箱。
【請求項２】
凹凸を複数条設けて成ることを特徴とする請求項１記載の収納箱。
【請求項３】
前面に複数条の凹凸を設けた化粧エッジ材を側板の前端面に設けて成ることを特徴とする請求項２記載の収納箱。
【請求項４】
側板の幅より幅広の化粧エッジ材を側板の前端面に貼付け、該化粧エッジ材の両側を側板の幅に合わせて切断して凹凸を形成して成ることを特徴とする請求項３記載の収納箱。
【請求項５】
複数条の凹凸を等ピッチで設けて成ることを特徴とする請求項４記載の収納箱。
【請求項６】
扉の上端面又は下端面に手がかり凹所を設けて成ることを特徴とする請求項１乃至５のいずれかに記載の収納箱。
【発明の詳細な説明】
【０００１】
【発明の属する技術分野】
本発明は、前面側に開口する収納空間を有する単位ボックスを並設して構成される収納箱に関するものである。
【０００２】
【従来の技術】
従来より、左右の側板の間に上下に棚板を架設して、側板と棚板とで囲まれて前面側が出し入れ用の開口となる収納空間を有する単位ボックスを形成し、複数の単位ボックスを並設して構成した収納箱が使用されている（例えば特許文献１参照）。このような従来の収納箱は、隣接する単位ボックスの側板同士を当接させて並設するものである。
【０００３】
しかしながら、このように単位ボックスの側板同士を当接させて並設した際、接合部が見えたり側板間に隙間が形成されてこの隙間が見えてしまい、見苦しく見栄えが悪いものであった。そこで、側板間の接合部や隙間が目立たないものが望まれるものであった。
【０００４】
【特許文献１】
特開昭５９−１６８８１３号公報
【０００５】
【発明が解決しようとする課題】
本発明はこのような点に鑑みてなされたものであり、その目的とするところは、隣接する単位ボックスの側板同士の接合部が目立たず、見苦しくなく見栄えが悪くなるのを防止することができる収納箱を提供することを課題とするものである。
【０００６】
【課題を解決するための手段】
上記課題を解決するために本発明に係る収納箱は、前面に開口する収納空間１を有する単位ボックス２を複数並設して構成される収納箱３において、単位ボックス２の側板４の前端面４１に上下に亘って凹凸５０を設けて成ることを特徴とするものである。このような構成とすることで、隣接する単位ボックス２の側板４同士の接合部９が見えても凹凸５０に紛れて前記接合部９が目立たず見栄えが悪くならないものである。
【０００７】
また、凹凸５０を複数条設けることが好ましい。このような構成とすることで、より一層接合部９を凹凸５０にてカモフラージュできるものである。
【０００８】
また、前面に複数条の凹凸５０を設けた化粧エッジ材５を側板４の前端面４１に設けることが好ましい。このような構成とすることで、側板４の前端面４１に直接凹凸５０を掘り下げて形成することなく容易に複数条の凹凸５０を形成することができる。
【０００９】
また、側板４の幅ｔ２より幅広の化粧エッジ材５を側板４の前端面４１に貼付け、該化粧エッジ材５の両側を側板４の幅ｔ２に合わせて切断して凹凸５０を形成することが好ましい。このような構成とすることで、凹凸５０を設けたエッジ材５を容易に側板４の前端面４１に取り付けることができる。
【００１０】
また、複数条の凹凸５０を等ピッチで設けることが好ましい。このような構成とすることで、更に隣接する側板４の前端面４１の見栄えを良くすることができる。
【００１１】
また、扉８の上端面又は下端面に手がかり凹所８１を設けることが好ましい。このような構成とすることで、手がかり凹所８１に手指を引っ掛けて扉８を開閉できて扉８の開閉がし易くなる。
【００１２】
【発明の実施の形態】
以下、本発明を添付図面示す実施形態に基づいて説明する。収納箱３は、図１や図２に示すように、複数の単位ボックス２を並設して構成される。
【００１３】
単位ボックス２は、図１に示すように、側面視略矩形状をした二枚の同形状の側板４を左右に対向するように配置し、この側板４間に棚板６を架設して形成される。
【００１４】
棚板６は、側板４間に配置される水平板で、側板４の上下に架設される。通常は、側板４の上下端部に架設してそれぞれ天蓋板６ａ、底板６ｂとするとともに、天蓋板６ａと底板６ｂとの間に上下に複数の棚板６を架設して内部を複数の収納空間１に仕切るものである。
【００１５】
また、側板４（及び棚板６）後端面には背板７を設けて後方開口を閉塞するとともに、前面側には後述する扉８を設けて前面側の出し入れ用の開口１０を開閉自在に閉塞するものである。
【００１６】
収納空間１は、左右の側板４と、上下に隣接する棚板６（天蓋板６ａと底板６ｂも含む）とで囲まれる空間で、前面の開口が収納物の出し入れ用の開口１０となる。この出し入れ用の開口１０には扉８が開閉自在に設けられる。
【００１７】
扉８は、図４に示すように、収納空間１の前面の出し入れ用の開口１０を開閉自在に閉塞するもので、扉８にて前記開口１０を閉塞した状態では、正面視において前記収納空間１を形成する左右の側板４及び上下の棚板６の外郭内に含まれる。すなわち、図３に示すように、扉８の上下方向長さｈ１は、収納空間１の上下方向長さをｈ２、棚板６の厚さをｔ１とすると、ｈ２＜ｈ１＜ｈ２＋ｔ１×２となり、扉８の左右方向長さｗ１は、収納空間１の左右方向長さをｗ２、側板４の幅をｔ２とすると、Ｗ２＜Ｗ１＜Ｗ２＋ｔ２×２となる。
【００１８】
このような単位ボックス２は、隣接する単位ボックス２の側板４同士を当接させて並設するのであるが、扉８を上述したように形成してあるため、左右に隣接する扉８間および上下に隣接する扉８間には隙間Ｓが形成され、側板４および棚板６の前端面が露出する。
【００１９】
このとき、上下に隣接する扉８間に棚板６が見えても、この棚板６は一枚の水平板であるため接合部９のようなものは存在せず、特に見栄えが悪くはないものである。しかし、左右に隣接する扉８間に側板４が見えると、側板４は上述したように隣接する側板４同士が当接しているため、この側板４同士の接合部９や、あるいは側板４間に形成される隙間が見えてしまい、見苦しく見栄えが悪くなってしまう。
【００２０】
そこで、本願では側板４同士の接合部９（あるいは側板４間の隙間）が見えても目立たないように、側板４の前端面４１に予め上下に凹凸５０を設けてある。
【００２１】
凹凸５０は本実施形態では、図５乃至図７に示すように、断面略三角形状の凹溝５０ａとして、上端部から下端部に亘って縦方向に形成してある。また本実施形態では、前面に複数条の凹溝５０ａを設けた化粧エッジ材５を側板４の前端面４１に貼り付けることで凹溝５０ａを形成するもので、さらに、この化粧エッジ材５の凹溝５０ａは等ピッチで複数条設けてある。
【００２２】
この化粧エッジ材５の側板４の前端面４１へ貼り付けるには、まず側板４の幅より幅広の化粧エッジ材５を用意し（図６参照）、この化粧エッジ材５をその両側が側板４の幅方向の両外側にはみ出すように側板４の前端面４１に貼付ける。そして、この化粧エッジ材５の側板４の両外側にはみ出した部分５１を切断して（図７参照）、側板４の前端面４１にのみ化粧エッジ材５が貼り付いた状態とするものである。
【００２３】
このようにして凹凸５０（凹溝５０ａ）を形成した単位ボックス２を、隣接する単位ボックス２の側板４同士を当接させて並設した際、側板４同士の接合部９あるいは側板４間に形成される隙間が見えても、側板４の前端面４１には上下に亘って設けてある凹凸５０に紛れてカモフラージュできて前記接合部９あるいは隙間が目立たず（図５参照）、側板４の前端面４１が見えても見苦しくなく見栄えが悪くならない。
【００２４】
次に、扉８について説明する。隣接する扉８間には隙間Ｓが形成されるものである（図４参照）。即ち、扉８は上述したように、その上下方向長さｈ１および左右方向長さｗ１を、収納空間１の上下方向長さｈ２および左右方向長さｗ２よりもそれぞれ棚板６の厚さｔ１、側板４の幅ｔ２の二倍の長さよりも短い長さだけ長く形成してあるため、左右に隣接する扉８間および上下に隣接する扉８間には隙間Ｓが形成される。このように、隣接する扉８間に隙間Ｓが形成されて側板４の前端部４１及び、この前端部４１に形成した凹凸５０が見えるようにして、側板４の接合部９（あるいは側板４間の隙間）を良くカモフラージュすることができるが、この扉８間の隙間Ｓを利用して扉を開閉するようにしている。
【００２５】
扉８は、左右のうちの一方の辺を丁番（図示せず）等を介して側板４に取り付けて軸８０とし、他方の辺を回動自在として収納空間１を開閉するものである。この時、上述したように上下に隣接する扉８間の隙間Ｓに手指を挿入して扉８の上下端部に引掛けて扉８を開くが、手指が扉８へ引っ掛かり易くするため扉の上端面又は下端面に手指を引っ掛けるための手がかり凹所８１を設ける。
【００２６】
手がかり凹所８１は、図８に示すように、扉８の回動側端部の上下端面に設けるか、図９に示すように、扉８の上下端面及び、回動側の側端面に設けてある。このようにすることで、手がかり凹所８１に手指を引っ掛けて扉８を開閉できて扉８の開閉がし易くなる。なお、図８に示す扉８は一枚の板状をした扉８であり、図９に示す扉８は、略ロ字状をした枠８２内にガラス又は樹脂からなる透明板８３を嵌め込んで形成してあり、この枠８２の外端面に手がかり凹所８１を形成してある。
【００２７】
【発明の効果】
上記のように本発明の請求項１記載の発明にあっては、前面に開口する収納空間を有する単位ボックスを複数並設して構成される収納箱において、単位ボックスの側板の前端面に上下に亘って凹凸を設けたので、隣接する単位ボックスの側板同士の接合部が見えても凹凸に紛れて前記接合部が目立たず見栄えが悪くならないものである。
【００２８】
また請求項２記載の発明にあっては、請求項１記載の発明の効果に加えて、凹凸を複数条設けたので、より一層接合部を凹凸にてカモフラージュできるものである。
【００２９】
また請求項３記載の発明にあっては、請求項２記載の発明の効果に加えて、前面に複数条の凹凸を設けた化粧エッジ材を側板の前端面に設けたので、側板の前端面に直接凹凸を掘り下げて形成することなく容易に複数条の凹凸を形成することができる。
【００３０】
また請求項４記載の発明にあっては、請求項３記載の発明の効果に加えて、側板の幅より幅広の化粧エッジ材を側板の前端面に貼付け、該化粧エッジ材の両側を側板の幅に合わせて切断して凹凸を形成したので、凹凸を設けたエッジ材を容易に側板の前端面に取り付けることができる。
【００３１】
また請求項５記載の発明にあっては、請求項４記載の発明の効果に加えて、複数条の凹凸を等ピッチで設けたので、更に隣接する側板の前端面の見栄えを良くすることができる。
【００３２】
また請求項６記載の発明にあっては、請求項１乃至５記載の発明の効果に加えて、扉の上端面又は下端面に手がかり凹所を設けたので、手がかり凹所に手指を引っ掛けて扉を開閉できて扉の開閉がし易くなる。
【図面の簡単な説明】
【図１】本発明の一実施形態の収納箱の斜視図である。
【図２】同上の実施形態の他例の収納箱の斜視図である。
【図３】同上の実施形態の単位ボックスの要部斜視図である。
【図４】同上の実施形態の扉を設けた単位ボックスの要部正面図である。
【図５】同上の実施形態の隣接する単位ボックスの側板の要部断面図である。
【図６】同上の実施形態において化粧エッジ材を側板の前端面に貼り付ける前の状態を示す断面図である。
【図７】同上の実施形態において化粧エッジ材を側板の前端面に貼り付けた状態を示す断面図である。
【図８】同上の実施形態において上端面または下端面に手掛かり凹所を設けた扉を示す斜視図である。
【図９】同上の実施形態において上端面または下端面に手掛かり凹所を設けた扉の他例を示す斜視図である。
【符号の説明】
１  収納空間
２  単位ボックス
３  収納箱
４  側板
４１  前端面
５０  凹凸
【図１】
2004229759.tif 000003
【図２】
2004229759.tif 000004
【図３】
2004229759.tif 000005
【図４】
2004229759.tif 000006
【図５】
2004229759.tif 000007
【図６】
2004229759.tif 000008
【図７】
2004229759.tif 000009
【図８】
2004229759.tif 000010
【図９】
2004229759.tif 000011